(57)【要約】  本考案は、タバコパッケージ、特に、手の指がフィルターと接触することを回避し、手の指に付いた細菌がフィルターを介して口内に移行することを防止し得るタバコケースに関する。このような構造によれば、人がケースからタバコを取り出す際に自然にタバコの中間部を抓み、手とフィルターとの直接的な接触を回避し、手の指に付いた細菌がフィルターを介して手に移行することを有効に防止することができ、衛生性も便利性もよく、品のある取り出し動作になり、製造も簡単で、コストの増加もわずかですむ。本考案は、タバコケースであって、ケース本体とキャップを備え、ケース本体の開口面がタバコの縦軸と平行するように形成され、ケース本体の開口端はキャップによって覆われ、開口端の長手側の一面に凹部が形成されていることを特徴とする。
0003124512.tif 000002
【実用新案登録請求の範囲】
【請求項１】
ケース本体とキャップとを有するタバコケースであって、ケース本体の開口面はタバコの長手方向の軸と平行するように形成され、キャップによりケース本体の開口を覆うようにし、開口の長辺側の壁面に凹部が形成されていることを特徴とするタバコケース。
【請求項２】
前記キャップが前記ケース本体と一体に構成され、前記キャップは折り返し式とされている、請求項1に記載のタバコケース。
【請求項３】
前記ケース本体の開口の短辺側の一端部にタバコを外へ移動させる切り欠きが形成され、前記ケース本体の開口の長辺側の一端面に密封面が形成されている、請求項１に記載のタバコケース。
【請求項４】
前記ケース本体の前記凹部の下方の部分に複数列の孔線が一定の間隔で形成されており、前記凹部の下方の壁部を前記孔線に沿って複数回に引き裂くことによって、前記凹部を下方に伸ばさせ、前記凹部はケースからタバコを全部取り出すことができる程の長さまで伸ばし得るものである、請求項1に記載のタバコケース。
【請求項５】
前記ケース本体の開口の対向面に板ばねが設けられている、又は前記ケース本体の底部にタバコを取り巻く引き上げテープが設けられており、前記引き上げテープは、その一端部が前記ケース本体の内壁の上端に固着され、他端部が前記ケース本体の前記内壁の対向側の開口まで延設されている、請求項1、２又は４に記載のタバコケース。
【請求項６】
前記ケース本体の内壁に内張りを設け、前記開口の長辺側の壁面に位置する前記凹部を前記内張りに設けた、請求項1に記載のタバコケース。
【請求項７】
前記ケース本体の開口の短辺に、タバコを外へ移動させる切り欠きを前記内張りに設けた、請求項６に記載のタバコケース。
【請求項８】
前記内張りに突起ブロックを形成し、前記突起ブロックを折って、前記内張りに形成されたほかの突起ブロックに繋ぐことによって前記ケース本体開口の長辺側の一端面に密封面を形成する、請求項６に記載のタバコケース。
【請求項９】
前記ケース本体の開口の対向面に板ばねを設け、又は前記ケース本体の底部にタバコを取り巻く引き上げテープを設け，前記引き上げテープは、その一端部がケース本体の内壁の上端に接着され、他端部が前記ケース本体の前記内壁の対向側の開口まで延設されている、請求項６、７又は８に記載のタバコケース。
【請求項１０】
前記板ばねが、その一端を内張りとケース本体の内壁との間に固定するか、又は硬質の片状物の下にばねを設置することによって構成されるものである、請求項９に記載のタバコケース。
【考案の詳細な説明】
【技術分野】
【０００１】
本考案は、タバコケースに関し、特に該タバコケースからタバコを取り出す際に手の指とタバコフィルターとが直接接触することを回避し、手の指に付いた細菌等がタバコフィルターを通して口内に移行することを防止することができるタバコケースに関する。
【背景技術】
【０００２】
従来、高級なタバコのパッケージは、硬質紙にて構成されたキャップ付きのケースである（２０本入りのものが普通であるが、９本、１０本、１６本入りのものもある）。該ケースの開口面はタバコ長手方向の軸を横切るように形成されているものが知られている。
【考案の開示】
【考案が解決しようとする課題】
【０００３】
この種の長年に亘って使われているタバコケースにおいては、タバコをケースから取り出すために手でフィルターの部分を抓んで取り出さなければならない。この際に、指と直接接触したフィルターは唇とも接触することになるので、手の指に付いた細菌がフィルターを介して口内に移行することになる。本来健康によくない喫煙におけるこのような悪癖は更に不衛生を招くことになる。また、喫煙者は礼儀のため相手に手の指でフィルターを抓んでタバコを勧める場合がある。これは不衛生であるばかりでなく、一つの病気伝染経路の増加となる。また、相手を当惑させたりする場合がよくある。フィルターはそもそもタバコの中の身体に害を及ぼす物質を阻止し、最大限に身体の健康を守るものとして作用するものであるが、従来のタバコケースの構造は、該フィルターを別の有害物に人体をさらす媒体となりえるものである。このような欠点を回避するために、ケース開口からタバコを取り出す代わりに、タバコケースの底部を開けて、煙草が露出する端部を抓んでタバコを取り出すことにしている喫煙者もいる。このようにすれば、比較的に衛生的にはなるが、煙草が露出する端部は手で抓まれるので、その端部の煙草の巻きがゆるくなって煙草が落ちてしまい、タバコケースの外観やタバコの品質を損ない、操作も煩雑である、という問題がある。
【０００４】
本考案は、前記の問題を解決せんとするものであって、衛生且つ便利なパッケージ構造によって、人がタバコを取り出す時に自然にタバコの中間部を抓むように案内し、フィルターと手との直接的な接触を回避し、病気の伝播を防止し、また、煙草の露出端部が抓まれて煙草の巻きがゆるくことを防止することができ、そして、構造が簡単、使用に便利で、質の高いタバコケースを提供することを目的とするものである。本願の考案者は、長年に亘る各種のパッケージ構造の研究設計を通した実際の経験に基づき、研究を繰り返して、本考案の全く新しい設計構造を創造した。
【０００５】
従来技術の欠点に対して、本考案は、人が自然に手の指とフィルターとの接触を回避するように案内することで、手の指についた細菌がフィルターを介して伝播することを防止し得るタバコケースを提供することを目的とする。
【課題を解決するための手段】
【０００６】
本考案は、ケース本体とキャップとを有するタバコケースであって、ケース本体の開口面はタバコの長手方向の軸と平行するように形成され、キャップによりケース本体の開口を覆うようにし、開口の長辺側の壁面に凹部が形成されていることを特徴とするタバコケースである。
【０００７】
また、前記キャップが前記ケース本体と一体に構成され、前記キャップは折り替え式とされている。
【０００８】
また、前記ケース本体の開口の短辺側の一端部にタバコを外へ移動させる切り欠きが形成され、前記ケース本体の開口の長辺側の一端面に密封面が形成されている。
【０００９】
また、前記ケース本体の前記凹部の下方の部分に複数列の孔線が一定の間隔で形成されており、前記凹部の下方の壁部を前記孔線に沿って複数回に引き裂くことによって、前記凹部を下方に伸ばさせ、前記凹部はケースからタバコを全部取り出すことができる程の長さまで伸ばし得るものであるものが好ましい。
【００１０】
さらに、前記ケース本体の開口の対向面に板ばねが設けられている、又は前記ケース本体の底部にタバコを取り巻く引き上げテープが設けられており、前記引き上げテープは、その一端部が前記ケース本体の内壁の上端に固着され、他端部が前記ケース本体の前記内壁の対向側の開口まで延設されていることが好ましい。
【００１１】
前記ケース本体の内壁に内張りを設け、前記開口の長辺側の壁面に位置する前記凹部を前記内張りに設けたことが好ましい。
【００１２】
前記ケース本体の開口の短辺に、タバコを外へ移動させる切り欠きを前記内張りに設けたことが好ましい。
【００１３】
前記内張りに突起ブロックを形成し、前記突起ブロックを折って、前記内張りに形成されたほかの突起ブロックに繋ぐことによって前記ケース本体開口の長辺側の一端面に密封面を形成することが好ましい。
【００１４】
前記ケース本体の開口の対向面に板ばねを設け、又は前記ケース本体の底部にタバコを取り巻く引き上げテープを設け，前記引き上げテープは、その一端部がケース本体の内壁の上端に接着され、他端部が前記ケース本体の前記内壁の対向側の開口まで延設されていることが好ましい。
【００１５】
前記板ばねが、その一端を内張りとケース本体の内壁との間に固定するか、又は硬質の片状物の下にばねを設置することによって構成されるものであることが好ましい。
【考案の効果】
【００１６】
本考案は、このような構造を構成することによって、人々がタバコケースからタバコを取り出す際、自然にタバコの中間部のみを抓むことになるので、手とフィルター部分との直接的な接触を回避でき、手の指に付いた細菌がフィルターを介して口内に移行することを十分に防止することが可能となり、その結果タバコを吸う又は第三者に勧める際の行為が衛生的且つ便利なものとなり、また取り出す動作も高雅なものとなる。更に、本考案は、構造が簡単で容易に構成でき、コストの増加も僅かである。
【考案を実施するための最良の形態】
【００１７】
次に、図面を参照しつつ、最良の実施形態に基づき、本考案を詳細に説明する。
【００１８】
本考案のタバコケースは、ケース本体１とキャップ２を備えている。ケース本体１とキャップ２とは一体に構成されている。また、別々に構成されてもよい。本考案のケース本体１は、その開口面とタバコの縦軸とが平行となるように形成されている。ここで、「タバコの縦軸」とは、タバコの円形断面の中心を長手方向に貫通する軸（仮想軸）のことをいう。タバコケース内のタバコは、ケース開口に横に並び、人がタバコの中間部（フィルターと煙草が露出した端部との中間部分）を抓むようになっている。キャップ２は、ケース本体の開口端を覆うように閉じる。開口端の長辺の一面に凹部４が形成される。凹部４は長辺の中間の領域に形成されるのが好ましい。長辺の一面に該凹部が形成されているので、人が手の指で該凹部からタバコを抓んで外に取り出すことができる。該凹部を複数段で引き裂く構造に構成すれば、該凹部は長くすることができる。したがって、ケースから全部のタバコを容易に取り出すことができる。凹部４の表面を薄い紙で覆うように構成してもよい。そうすれば、該薄い紙の一つの辺を凹部の一つの辺に繋いで、該薄い紙を凹部の面にかけて該凹部を覆うように構成し得る。又は、ケース本体１に引裂き易くするための孔線１１を設けることによって、凹部を形成するように構成してもよい。この態様では、凹部４の長手方向に孔線を数列設け、使用の際、タバコの位置に対応して、孔線に沿って対応する部分を引き裂くことができる。凹部４はケースから全部のタバコを支障なく取り出すことができる程の長さを有するのが好ましい。
【００１９】
キャップ２とケース本体１とが一体に繋がっている場合には、キャップ２は折り返えし式のものを採用する。タバコを取り出しやすく為に、ケース本体１の開口端の短辺の一端にタバコが外側に移動しやすい切り欠き５を形成する。該切り欠きの大きさはタバコの断面面積よりやや大きいものとする。短辺の上辺を一部切って比較的大きい切り欠き５を形成する。ケース１の開口端の長辺の一端には密封面９を有し、タバコの煙草が露出する端はその端に位置する。煙草が露出する端を保護するとともに、キャップを開けてケース底部に位置するタバコを取り出すために、ケースをさかさまにする時、タバコがタバコケースから落ちることを防止する。また、タバコケースの開口の対向面に板ばね又は引き上げテープを設置した場合、キャップを開けた際にタバコが全部飛ばされる、又は引き出されることが防止される。ケース本体１の開口の対向面、すなわちケース本体の底部に板ばね８が設置されており、上層のタバコが取り出された後、下層のタバコが自動的に開口まで押し上げられる。または、ケース本体１の底部にタバコを取り巻く引き上げテープ１２が設けられる。引き上げテープ１２は、その一端部がケース本体の内壁の上端部に接着され、他端部がケース本体上端固着部分に対向する辺の開口まで延設されている。開口の部位において手で引き上げ、テープを抓んでタバコを開口まで引き上げてタバコを取り出すように構成される。ケース本体に、ケースの強度を補強するための内張り３が敷いてある。また、ケース本体１の上部とキャップ２とは一部が重なるように形成されて、キャップとケース本体とが一体である場合には、キャップを開けてもタバコがそのままケースに収容されているようになる。開口端長辺側の凹部４は内張り３に設けられ、ケース本体の開口端の短辺側でタバコを外へ移動させるための切り欠きは内張り３に設けられている。該切り欠きは内張りの長辺の凹部の縁部まで伸びている。内張りの突起ブロック１０を折って、その他の内張りの突起ブロックに繋ぐことによって、ケース本体の開口端長辺の一端に密封面９を形成する。板ばね８の一端は内張り３とケース本体１の内壁の間に固着されている。また、板ばねを構成するほかの方法として、硬質の片状のものの下にスプリングばねを設置し、該ばねをケース本体の底部に固定して、硬質の片状のものの上にタバコを配置するものであってもよい。
【００２０】
以上述べたように、本考案によれば、簡単な構造で、人がタバコケースからタバコを取り出す時にフィルターとの接触やフィルターを汚すことなく、衛生状態を確保し、病気の伝播を防止するタバコケースを提供できる。本考案は、新規性、進歩性及び実用性のある新しい考案であるのは上記の説明によって明らかに理解できるであろう。以上の説明は、本考案の具体的な実施形態及びその応用する技術原理について説明したものであるが、もちろん様々な変更もできる。そのような変更も、本考案の要旨を超えない限り本考案の範囲内に属する。
【図面の簡単な説明】
【００２１】
【図１】本考案に係る構成を示す図である。
【図２】本考案に係る構成の内張りの形状を示す図である。
【図３】本考案に係るケース本体に孔線を設けて、長い凹部を形成することを示す図である。
【図４】本考案に係るケース本体の底部に引き上げテープが設けられている構造を示す図である。
【符号の説明】
【００２２】
１    ケース本体
２    キャップ
３    内張り
４    凹部
５    切り欠き
６    フィルター
７    タバコ
８    板ばね
９    密封面
１０    突出ブロック
１１    孔線
１２    引き上げテープ
【図１】
0003124512.tif 000003
【図２】
0003124512.tif 000004
【図３】
0003124512.tif 000005
【図４】
0003124512.tif 000006